(57)【要約】【課題】回動仕切を設けた扉の収納ポケットにおける冷却効率を向上し、且つ回動仕切の結露を抑制することを目的とする。【解決手段】貯蔵室を開閉する左右に並べて配置された第一の扉４と第二の扉３と、第一の扉４と第二の扉３を閉じた場合の第一の扉４と第二の扉３との隙間を塞ぐ回動仕切１０と、第一の扉４又は第二の扉３の少なくともいずれかの貯蔵室側に突出した断熱壁（第一の断熱壁４ａ又は第二の断熱壁３ａ）と、断熱壁に設けた収納ポケットとを備えた冷蔵庫において、断熱壁を通り収納ポケット側に冷気を導くための手段を設ける。【選択図】  図２
2013245845.tif 000002
【特許請求の範囲】
【請求項１】
貯蔵室を開閉する左右に並べて配置された第一の扉と第二の扉と、前記第一の扉と前記第二の扉を閉じた場合の前記第一の扉と前記第二の扉との隙間を塞ぐ回動仕切と、前記第一の扉又は前記第二の扉の少なくともいずれかの前記貯蔵室側に突出した断熱壁と、前記断熱壁に設けた収納ポケットとを備えた冷蔵庫において、
前記断熱壁を通り前記収納ポケット側に冷気を導くための手段を設けたことを特徴とする冷蔵庫。
【請求項２】
前記回動仕切は前記第一の扉に設けられて、前記第一の扉を閉めた状態にて前記回動仕切に対向する位置にある前記第二の扉の前記断熱壁の突出高さが、前記回動仕切の前記貯蔵室側への突出高さと同等、若しくはそれ以下であることを特徴とする、請求項１に記載の冷蔵庫。
【請求項３】
前記第一の扉の前記回動仕切を設けた前記断熱壁に冷気を通風させる通風路を設けたことを特徴とする、請求項１に記載の冷蔵庫。
【請求項４】
前記回動仕切の幅方向中央部の断熱厚さが他部よりも前記貯蔵室側に厚い隆起部を有し、前記回動仕切の前記中央部の反対側の高熱伝導性部材は外気に晒されることを特徴とする、請求項１又は２に記載の冷蔵庫。
【請求項５】
前記回動仕切の前記貯蔵室側の面に風向を変える風向転向部を設けたことを特徴とする、請求項１乃至４のいずれかに記載の冷蔵庫。
【請求項６】
前記第一の扉を閉じた状態で、前記第一の扉の前記回動仕切に対向する前記断熱壁の厚さは、基部よりも前記回動仕切の前記隆起部に対向する位置で薄くなることを特徴とする、請求項４に記載の冷蔵庫。
【発明の詳細な説明】
【技術分野】
【０００１】
本発明は、冷蔵庫に関する。
【背景技術】
【０００２】
両側に開閉する２つの扉の側壁土手部に関する従来技術として、特開２００７−４６８４７号公報（特許文献１）がある。この例では、冷蔵室扉内側に扉内板ポケットの側壁土手部を設け、かつ前後方向に複数に区画形成した収納物を収納するポケットを設けた冷蔵庫において、前記扉内板ポケット側壁土手部に前後２列に収納された収納物の奥側の収納物を容易に取り出し可能とするユニバーサルカット部を設けている。
【先行技術文献】
【特許文献】
【０００３】
【特許文献１】特開２００７−４６８４７号公報
【発明の概要】
【発明が解決しようとする課題】
【０００４】
一般的に、両側に独立して開閉する２つの回動扉を設けたフレンチドア型の冷蔵庫においては、一方の扉に、両扉の境界を閉塞するための回動仕切を備えたことが知られている。
【０００５】
この回動仕切の動きとしては、回動仕切を有する回動扉を開けた際に、回動仕切は断熱壁の近傍に畳んで収納される。また、回動仕切を有する回動扉を閉じた際には、冷蔵庫本体側に設けられた部材等によって、折り畳められた回動仕切が起こされて、対を成す反対側の扉に触れることなく閉めることができるようになっている。また、回動仕切を有さない側の回動扉を開閉した場合は、回動仕切は動くことがない。
【０００６】
このような一般的な回動仕切を有した冷蔵庫において、回動仕切を畳んだときに、特許文献１に記載のようなユニバーサルカット（側面にある断熱壁をポケット内の収納物を取り出しやすくするために断熱壁の一部をカットした構成）を備えると、ポケット内の収納物を取り出す際、収納物が畳まれた状態の回動仕切に接触して、回動仕切が起き上がってしまう可能性がある。
【０００７】
このとき、回動仕切が起き上がっていることに使用者が気付かずに、そのまま扉を閉めてしまうと、回動仕切が対になっている反対側の扉に接触し、繰り返してしまうと打痕及び破損してしまう可能性がある。
【０００８】
また、回動仕切が起き上がっていることに使用者が気付いた場合は、回動仕切を手動で畳んでから扉を閉めることを強要することになり、使い勝手が良いとはいえない。
【０００９】
上記課題に鑑みて本発明は、回動仕切を設けた扉の収納ポケットにおける冷却効率を向上し、且つ回動仕切の結露を抑制することを目的とする。
【課題を解決するための手段】
【００１０】
本発明では、上述の課題を解決するため、例えば特許請求の範囲に記載の手段を採用する。一例として、貯蔵室を開閉する左右に並べて配置された第一の扉と第二の扉と、前記第一の扉と前記第二の扉を閉じた場合の前記第一の扉と前記第二の扉との隙間を塞ぐ回動仕切と、前記第一の扉又は前記第二の扉の少なくともいずれかの前記貯蔵室側に突出した断熱壁と、前記断熱壁に設けた収納ポケットとを備えた冷蔵庫において、前記断熱壁を通り前記収納ポケット側に冷気を導くための手段を設けたことを特徴とする。
【発明の効果】
【００１１】
本発明によれば、回動仕切を設けた扉の収納ポケットにおける冷却効率を向上し、且つ回動仕切の結露を抑制することができる。
【図面の簡単な説明】
【００１２】
【図１】冷蔵庫の冷蔵室扉を開いた状態の正面図である。
【図２】実施例１による冷蔵室扉の要部断面図である。
【図３Ａ】実施例２による冷蔵室扉の断熱壁に通風孔を複数設けた側面図である。
【図３Ｂ】実施例２による冷蔵室扉の断熱壁に通風孔を単数設けた側面図である。
【図３Ｃ】図３Ａの冷蔵室扉の要部横断面図である。
【図４】実施例３による冷蔵室扉の要部断面図である。
【図５】実施例４による冷蔵室扉の要部断面図である。
【図６】実施例５による冷蔵室扉の要部断面図である。
【図７】実施例６による冷蔵室扉の要部断面図である。
【発明を実施するための形態】
【００１３】
以下、本発明の各実施例を図１から図７を用いて説明する。
javascript:CheckImage(5)
【実施例１】
【００１４】
まず、図１、図２をもって実施例１を説明する。図１は、冷蔵庫の冷蔵室扉を開いた状態の正面図である。図２は、実施例１による冷蔵室扉の要部断面図である。
【００１５】
図１において、冷蔵庫本体１は、冷蔵庫箱体２、冷蔵室９の正面から見て右側前方を開閉する第二の扉３、冷蔵室９の正面から見て左側前方を開閉する第一の扉４、冷蔵室９の下方に左右に並列配置した製氷室扉５及び上段冷凍室６、さらに下方に順に下段冷凍室７、野菜室扉８を有している。なお、冷蔵室９と冷凍温度帯室（製氷室、上段冷凍室及び下段冷凍室）は、上部断熱仕切壁（図示せず）で区画されて、冷凍温度帯室と野菜室を、下部断熱仕切壁（図示せず）で区画されて構成している。
【００１６】
冷蔵室９は、冷蔵庫箱体２、第二の扉３、第一の扉４、第一の扉４に設けられた回動仕切１０によって、外部と区画された断熱空間として構成される。
【００１７】
回動仕切１０は、第一の扉４の上下に延在する断熱壁４ａ（第一の断熱壁）に取付けられている。回動仕切１０は、第一の扉４の開閉動作に連動する。すなわち、冷蔵庫箱体２の冷蔵室９天井部の開口側に設置された回動補助部材１１により、第一の扉４を開く際、第一の断熱壁４ａの近傍に畳まれて、第一の扉４を閉じる際、回動補助部材１１により起き上がる構造となっている。
【００１８】
回動仕切１０には、表面側１０ａに露が付かないように内部に断熱材とヒータ（いずれも図示せず）が設置されており、ヒータは回動仕切１０の冷蔵室９の外側の面１０ａに露が付かないように温度制御されている。
【００１９】
冷蔵室９内には、冷蔵室９を上下に区画して収納物を載置する複数の冷蔵室棚９ａ、冷蔵室９の下部に設置されて、冷蔵温度帯よりも低温度帯に温度制御される収納ケース９ｂ、製氷室で氷を作るための水を貯蔵する水タンク９ｃを備えている。また、第二の扉３及び第一の扉４には、複数個の収納ポケットが第二の断熱壁３ａ及び第一の断熱壁４ａにそれぞれ懸架されており、下部ポケット１３を除く上部ポケット１２は、取付け位置を高さ方向で調整できる。
【００２０】
図２において、第一の扉４及び第二の扉３を閉じた際、回動仕切１０を設けていない側の扉である第二の扉３の第二の断熱壁３ａは、貯蔵空間側への突出高さが回動仕切１０側壁の厚み（貯蔵空間側への突出高さ）と同等、若しくはそれよりも低くする。これにより、収納ポケット（上部ポケット１２及び下部ポケット１３）の収納容量を拡大できる。また、冷気が収納ポケットの側面から流れ込み易くなるため、収納ポケット内の収納物を素早く冷やすことができる。
【００２１】
また、第二の断熱壁３ａの高さは、第一の断熱壁４ａよりも低くすることで、冷気の流れが形成される。そのため、回動仕切１０近傍に滞留していた冷気により回動仕切１０が冷やされにくくなり、回動仕切１０のヒータ入力を低減でき、消費電力量の低減を図ることができる。
【００２２】
なお、本実施例では、第一の扉４よりも第二の扉３の幅が広く構成されている。これは、右利きの使用者の場合、冷蔵庫本体１に正面から向き合った場合、右手で右側の扉（第二の扉３）を開閉する動作が自然であり、その結果、必然的に第一の扉４よりも第二の扉３の開閉頻度が高くなることを考慮した結果である。すなわち、第一の扉４側に回動仕切１０を設置して、第一の扉４側の収納ポケットよりも第二の扉３側の収納ポケットの収納容積を大きく構成している。
【００２３】
本実施例では、使用頻度の高いことが想定される第二の扉３の第二の断熱壁３ａを、第一の扉４の第一の断熱壁４ａよりも低くしたことで、第二の扉３側の収納ポケットの収納容積を、より拡大している。なお、左利きの使用者を想定した場合、その逆の構成とすればよい。
【００２４】
本実施例は、貯蔵室（冷蔵室９）を開閉する左右に並べて配置された第一の扉４と第二の扉３と、第一の扉４と第二の扉３を閉じた場合の第一の扉４と第二の扉３との隙間を塞ぐ回動仕切１０と、第一の扉４又は第二の扉３の少なくともいずれかの貯蔵室側に突出した断熱壁（第一の断熱壁４ａ又は第二の断熱壁３ａ）と、断熱壁に設けた収納ポケット（上部ポケット１２及び下部ポケット１３）とを備えた冷蔵庫において、断熱壁を通り収納ポケット側に冷気を導くための手段を設ける。
【００２５】
断熱壁を通り収納ポケット側に冷気を導くための手段の一例として、回動仕切１０を設けていない側の扉である第二の扉３の第二の断熱壁３ａの貯蔵空間側への突出高さが、回動仕切１０側壁の厚み（貯蔵空間側への突出高さ）と同等、若しくはそれよりも低くする。または、使用頻度の高いことが想定される第二の扉３の第二の断熱壁３ａを、第一の扉４の第一の断熱壁４ａよりも低くする。
【００２６】
これより、冷気が回動仕切近傍で淀まなくなるため、回動仕切が冷やされにくくなり、露付きを抑制できる。また、収納ポケット内に冷気を導き易くなり、且つ収納ポケットの収納スペースを拡大することができる。
【実施例２】
【００２７】
実施例２について、図３をもって説明する。図３Ａは、実施例２による冷蔵室扉の断熱壁に通風孔を複数設けた側面図である。図３Ｂは、実施例２による冷蔵室扉の断熱壁に通風孔を単数設けた側面図である。図３Ｃは、図３Ａの冷蔵室扉の要部横断面図である。
【００２８】
図３Ａ及び図３Ｃにおいて、第一の断熱壁４ａに複数の通風路４ｂを上下に形成している。より具体的には、下部ポケット１３及び上部ポケット１２のそれぞれの上方に通風路４ｂをそれぞれ配置している。
【００２９】
これにより、回動仕切１０近傍の冷気が、通風路４ｂを介して下部ポケット１３及び上部ポケット１２に流れる。
【００３０】
また、図３Ｂでは、下部ポケット１３及び上部ポケット１２に冷気が流れるように上下に長い単数の通風路４ｃを設けている。
【００３１】
図３Ｃに示すように、第一の扉４を閉じた状態において、通風路４ｂ（４ｃ）は、貯蔵室の奥行き方向手前側の端部が、回動仕切１０の端部付近に位置する。また、通風路４ｂの奥行き方向奥側の端部は、回動仕切１０の端部からさらに奥行方向に位置する。この構成によって、冷蔵室９の後方から吐出された冷気が、回動仕切１０後面に当たった後、回動仕切１０後面で通風路４ｂ（４ｃ）側に案内されて、収納ポケット内を効率的に冷却する。また、回動仕切１０付近で冷気が淀むことなく、通風路４ｂ（４ｃ）側に流れるので、回動仕切１０が露点温度以下に冷やされて結露することを抑制できる。
【００３２】
図３Ａ、図３Ｂ、図３Ｃの構成、すなわち、第一の扉４の回動仕切１０を設けた第一の断熱壁４ａに冷気を通風させる通風路４ｂ（４ｃ）を設けることにより、下部ポケット１３及び上部ポケット１２に冷気が循環し易くなり、収納物を素早く冷やすことができる。また、回動仕切１０近傍に滞留していた冷気により、回動仕切１０が冷やされにくくなるため、回動仕切内のヒータ容量を低減することができるため、消費電力量の低減を図ることができる。
【００３３】
また、第一の断熱壁４ａと通風路４ｂ（４ｃ）は、別の構成部品として設けてもよく、一体の構成部品として設けてもよい。一体の構成部品とした場合、部品点数を低減して、低コスト化を図ることができる。
【００３４】
また、通風路４ｂ及び通風路４ｃには、冷気の風向を調整する風向板（図示せず）を設けてもよい。これにより、収納ポケット内の冷気の流入方向を調整して、循環効率を向上することができる。
【００３５】
なお、最上段の上部ポケット１２は、その上方に冷気の流入を阻害するものがないので、冷蔵室９を循環する冷気がそのまま流れ込む。そのため、最上段の上部ポケット１２に対応する通風孔は、第一の断熱壁４ａに設けなくてもよい。
【００３６】
上記説明した以外の構成については、実施例１と同様であって、同様の作用効果を奏するものであるから、説明を省略する。
【実施例３】
【００３７】
実施例３について、図４をもって説明する。図４は、実施例３による冷蔵室扉の要部断面図である。
【００３８】
図４において、第一の断熱壁４ａの基部、すなわち、第一の扉４との境界部近傍に、上部ポケット１２及び下部ポケット１３を懸架するための懸架部４ｄ（一例として、リブ）を設ける。これにより、第一の断熱壁４ａの貯蔵室側に延在する部分（通風路４ｂを形成した部分）の断熱壁厚さを懸架部４ｄよりも薄くできる。よって、上部ポケット１２及び下部ポケット１３の幅を広げることができ、収納量を増やすことができる。
【００３９】
上記説明した以外の構成については、実施例１及び２と同様であって、同様の作用効果を奏するものであるから、説明を省略する。
【実施例４】
【００４０】
実施例４について、図５をもって説明する。図５は、実施例４による冷蔵室扉の要部断面図である。
【００４１】
図５において、第二の扉３及び第一の扉４を閉じた状態で、冷蔵室９後方の冷気吐出孔（図示せず）より吐出された冷気は、冷蔵室棚９ａで区画された上下いずれかの空間を通り、貯蔵空間前方、すなわち、第二の扉３、第一の扉４、回動仕切１０の冷蔵室９側の面１０ｂに向かって流れる。
【００４２】
回動仕切１０の冷蔵室９側の面１０ｂ（裏面側）の幅方向中央部の断熱厚さは、その両側と比べて厚く形成している。換言すると、回動仕切１０の裏面側１０ｂの幅方向中央部は、他部よりも貯蔵室側へ突出した隆起部１０ｃが形成されている。これにより、回動仕切１０における冷蔵室９の外側の面１０ａの温度を上げることができる。隆起部１０ｃの反対側となる表面側１０ａは高熱伝導性部材（一例として、鉄等の金属板）であり、第二の扉３及び第一の扉４に接触しない位置であって、外気に直接的又は間接的に触れている。よって、熱伝導性能が向上して、回動仕切１０内のヒータ入力を少なくすることができ、消費電力量の低減を図ることができる。
【００４３】
また、冷蔵室９に吐出された冷気が、回動仕切１０に達すると、隆起部１０ｃに沿って流れるため、回動仕切１０近傍で淀むことなく、下部ポケット１３及び上部ポケット１２側に導かれ易くなるため、回動仕切１０の結露を抑制すると共に、下部ポケット１３及び上部ポケット１２に収納した収納物を素早く冷やすことができる。
【００４４】
上記説明した以外の構成については、実施例１乃至３と同様であって、同様の作用効果を奏するものであるから、説明を省略する。
【実施例５】
【００４５】
実施例５について、図６をもって説明する。図６は、実施例５による冷蔵室扉の要部断面図である。
【００４６】
図６において、第二の扉３及び第一の扉４を閉じた状態で、回動仕切１０の裏面側１０ｂに冷気の流れを変える風向転向部１０ｄ等を設ける。これにより、回動仕切１０近傍の冷気の流れを左右方向に促すことができるため、回動仕切１０の結露を抑制すると共に、下部ポケット１３及び上部ポケット１２に収納した収納物を素早く冷やすことができる。
【００４７】
上記説明した以外の構成については、実施例１と同様であって、同様の作用効果を奏するものであるから、説明を省略する。
【実施例６】
【００４８】
実施例６について、図７をもって説明する。図７は、実施例６による冷蔵室扉の要部断面図である。
【００４９】
第一の扉４を開いた場合、回動仕切１０は第一の断熱壁４ａ側に畳まれる。ここで、回動仕切１０は、畳まれた状態で第一の断熱壁４ａの貯蔵室側への突出寸法と同等、又はそれ以下となる寸法である。この構成において、実施例４及び実施例５の回動仕切１０を畳んだときに、隆起部１０ｃまたは風向転向部１０ｄが第一の断熱壁４ａに接触する場合がある。
【００５０】
そこで、第一の断熱壁４ａの断熱厚さは、基部よりも端部（第一の扉４側よりも貯蔵室側）で薄くなるように構成する。すなわち、第一の扉４を閉じた状態で、第一の扉４の回動仕切１０に対向する第一の断熱壁４ａの厚さは、回動仕切１０の隆起部１０ｃに対向する位置が基部よりも薄い構成である。これにより、回動仕切１０が第一の断熱壁４ａに接触することを防止できる。
【００５１】
上記説明した以外の構成については、実施例１と同様であって、同様の作用効果を奏するものであるから、説明を省略する。
【００５２】
以上より、従来、回動仕切１０周りの冷気は、断熱壁（土手部）に沿って上下にしか流れなかったのに対して、本発明の各実施例によれば、回動仕切１０の周りに淀んでいた冷気を扉の貯蔵室側に設けた収納ポケット側に流すことができるため、収納ポケット内の収納物を素早く冷やすことができる。
【００５３】
また、回動仕切１０が冷やされにくくなり、回動仕切１０表面温度を高く保つことができるため、回動仕切１０内の加熱手段の入力を抑制することができ、消費電力量の低減を図ることができる。
【００５４】
また、回動仕切１０を有さない第二の扉３は、収納ポケット側部の第二の断熱壁３ａ（土手部高さ）を低くできることから、収納ポケット内に冷気を導きやすくなるのみならず、収納ポケットの収納容積を拡大することができる。
【符号の説明】
【００５５】
１  冷蔵庫本体
３  第二の扉
３ａ  第二の扉の上下に延在する断熱壁（第二の断熱壁）
４  第一の扉
４ａ  第一の扉の上下に延在する断熱壁（第一の断熱壁）
４ｂ  通風路（複数）
４ｃ  通風路（単数）
９  冷蔵室
１０  回動仕切
１０ａ  冷蔵室９の外側の面（表面側）
１０ｂ  冷蔵室９側の面（裏面側）
１０ｃ  隆起部
１０ｄ  風向転向部
１１  回動補助部材
１２  上部ポケット（収納ポケット）
１３  下部ポケット（収納ポケット）
【図１】
2013245845.tif 000003
【図２】
2013245845.tif 000004
【図３Ａ】
2013245845.tif 000005
【図３Ｂ】
2013245845.tif 000006
【図３Ｃ】
2013245845.tif 000007
【図４】
2013245845.tif 000008
【図５】
2013245845.tif 000009
【図６】
2013245845.tif 000010
【図７】
2013245845.tif 000011